(57)【特許請求の範囲】
【請求項１】
画像データを受信する画像データ受信部と、前記画像データに基づいて画像を表示する画像表示部とを備える携帯端末装置であって、
前記画像表示部と、１または２以上の他の携帯端末装置に備えられる他装置側画面表示部とが並んだ状態となる所定の形態によって、前記携帯端末装置が少なくとも何れかの前記他の携帯端末装置に近接または当接したことを検出する近接検出部と、
前記近接検出部によって検出された前記所定の形態に基づいて、前記画像表示部及び前記他装置側画面表示部によって形成される画像表示領域における前記画像表示部の位置を検出する位置検出部と、
前記位置検出部によって検出された前記位置と、前記画像表示領域のレイアウト情報とに基づいて、前記画像表示部及び前記他装置側画面表示部の一方に前記画像データが表示され、他方にデータ放送の内容が表示されるように、前記画像データ及び前記データ放送の内容の何れかを、前記画像表示部に表示させる表示処理部と
を備える携帯端末装置。
【請求項２】
前記画像表示部は、略矩形の画像表示面を形成し、
前記近接検出部は、前記画像表示面を形成する辺に対応する位置に配設される請求項１に記載の携帯端末装置。
【請求項３】
前記携帯端末装置が提供可能な機能を示す機能情報を格納する電子タグをさらに備え、
前記電子タグは、前記携帯端末装置が前記他の携帯端末装置と前記所定の形態によって近接または当接した場合、前記他の携帯端末装置に備えられる他装置側近接検出部に近接または当接する請求項１または２に記載の携帯端末装置。
【請求項４】
前記近接検出部は、磁気センサによって構成され、
前記磁気センサは、前記携帯端末装置が前記他の携帯端末装置と前記所定の形態によって近接または当接した場合、前記他の携帯端末装置に備えられる他装置側電子タグに近接または当接する請求項１または２に記載の携帯端末装置。
【請求項５】
前記磁気センサを介して、前記他の携帯端末装置が提供可能な機能を示す機能情報を取得する情報取得部と、
前記情報取得部によって取得された前記機能情報に基づいて、前記他の携帯端末装置とともに前記画像表示領域を形成できるか否かを判定する判定部と
をさらに備える請求項４に記載の携帯端末装置。
【請求項６】
前記他の携帯端末装置との通信を実行する通信部をさらに備え、
前記位置検出部は、前記近接検出部によって検出された前記所定の形態、及び前記通信部が受信した前記位置を示す位置情報に基づいて、前記位置を検出する請求項１乃至５の何れか一項に記載の携帯端末装置。
【請求項７】
前記近接検出部は、前記携帯端末装置に近接または当接していた前記他の携帯端末装置が前記携帯端末装置から離れたことを検出し、
前記表示処理部は、前記近接検出部によって前記他の携帯端末装置が前記携帯端末装置から離れたことが検出された場合、前記データ放送の内容を、前記画像表示部に表示させる処理を終了し、
前記画像表示部は、前記処理が終了すると、前記画像データに基づいて画像を表示する請求項１乃至６の何れか一項に記載の携帯端末装置。
【請求項８】
前記表示処理部は、音声通話の発着信、電子メールの送受信、前記画像の受信中止の少なくとも何れかの場合、前記データ放送の内容を、前記画像表示部に表示させる処理を終了する請求項１乃至７の何れか一項に記載の携帯端末装置。
【請求項９】
画像データを受信する画像データ受信部と、前記画像データに基づいて画像を表示する画像表示部とを備える携帯端末装置であって、
１または２以上の他の携帯端末装置との通信を実行する通信部と、
前記画像表示部、及び前記他の携帯端末装置に備えられる他装置側画面表示部によって形成される画像表示領域における前記画像表示部の位置を示す位置情報を、前記通信部を介して前記他の携帯端末装置と交換する位置情報交換部と、
前記位置情報交換部によって交換された前記位置情報と、前記画像表示領域のレイアウト情報とに基づいて、前記画像表示部及び前記他装置側画面表示部の一方に前記画像データが表示され、他方にデータ放送の内容が表示されるように、前記画像及び前記データ放送の内容の何れかを、前記画像表示部に表示させる表示処理部と
を備える携帯端末装置。
【請求項１０】
放送信号に含まれる画像データを受信する画像データ受信部と、前記画像データに基づいて画像を表示する画像表示部とを備える携帯端末装置であって、
１または２以上の他の携帯端末装置との通信を実行する通信部と、
前記画像表示部、及び前記他の携帯端末装置に備えられる他装置側画面表示部によって形成される画像表示領域を示す画像表示領域情報を、前記通信部を介して前記他の携帯端末装置と交換する画像表示領域情報交換部と、
前記画像表示領域情報交換部によって交換された前記画像表示領域情報を表示し、前記画像表示領域における前記画像表示部の位置をユーザに指定させる位置指定部と、
前記位置指定部によって取得された前記位置と、前記画像表示領域のレイアウト情報とに基づいて、前記画像表示部及び前記他装置側画面表示部の一方に前記画像データが表示され、他方にデータ放送の内容が表示されるように、前記画像データ及び前記データ放送の内容の何れかを、前記画像表示部に表示させる表示処理部と
を備える携帯端末装置。
【発明の詳細な説明】
【技術分野】
【０００１】
本発明は、画像データを受信する画像データ受信部と、当該画像データに基づいて画像を表示する画像表示部とを備える携帯端末装置に関する。
【背景技術】
【０００２】
昨今、携帯電話端末などの携帯端末装置は、さらなる高機能化が進んでいる。例えば、ディジタルテレビジョン放送の受信機能を備えた携帯電話端末が提供されている。
【０００３】
このような携帯電話端末に備えられる画像表示部は一般的に小型（２〜３インチ程度）であるため、複数の携帯電話端末（画像表示部）を組み合わせることによって、ひとつの大きな画像表示領域（いわゆるマルチモニタ）を形成したいとの要求がある。
【０００４】
従来、複数の画像表示部を組み合わせることによってマルチモニタを形成するため、複数の画像表示部を制御する表示コントローラを用いる方法が知られている（例えば、特許文献１）。
【特許文献１】特開平６−１９４３３号公報（第３頁、第１図）
【発明の開示】
【発明が解決しようとする課題】
【０００５】
しかしながら、上述した従来の方法には、次のような問題があった。すなわち、マルチモニタを形成するために用いられる画像表示部の数やレイアウトは、ハードウェア構成によって予め固定されている。このため、ユーザが、画像表示部の数やレイアウト（例えば、横長レイアウト）を自由に選択することはできないといった問題があった。
【０００６】
特に、携帯電話端末などの携帯端末装置の場合、各ユーザが所有する携帯電話端末を持ち寄ってマルチモニタを形成することが想定されるため、携帯電話端末（画像表示部）の数やユーザの嗜好、或いは環境に応じて、所望のサイズ及びレイアウトを有するマルチモニタを容易に形成できることが望ましい。
【０００７】
そこで、本発明は、このような状況に鑑みてなされたものであり、画像表示部を備える複数の携帯端末装置を組み合わせることによって、所望のサイズ及びレイアウトを有するマルチモニタを容易に実現することができる携帯端末装置を提供することを目的とする。
【課題を解決するための手段】
【０００８】
上述した問題を解決するため、本発明は、次のような特徴を有している。まず、本発明の第１の特徴は、画像データを受信する画像データ受信部（ＴＶチューナ部１０９）と、前記画像データに基づいて画像を表示する画像表示部（画像表示部１６０）とを備える携帯端末装置（携帯電話端末１００）であって、前記画像表示部と、１または２以上の他の携帯端末装置（例えば、携帯電話端末１００Ｂ）に備えられる他装置側画面表示部（画像表示部１６０）とが並んだ状態となる所定の形態によって、前記携帯端末装置が少なくとも何れかの前記他の携帯端末装置に近接または当接したことを検出する近接検出部（例えば、磁気センサ１７１Ｔ）と、前記近接検出部によって検出された前記所定の形態に基づいて、前記画像表示部及び前記他装置側画面表示部によって形成される画像表示領域（例えば、画像表示領域Ａ１）における前記画像表示部の位置を検出する位置検出部（位置検出部１０５）と、前記位置検出部によって検出された前記位置と、前記画像表示領域のレイアウト情報とに基づいて、前記画像表示部及び前記他装置側画面表示部の一方に前記画像データが表示され、他方にデータ放送の内容が表示されるように、前記画像データ及び前記データ放送の内容の何れかを、前記画像表示部に表示させる表示処理部（表示処理部１１１）とを備えることを要旨とする。
【０００９】
このような携帯端末装置によれば、近接検出部によって検出された所定の形態に基づいて、画像表示部及び他装置側画面表示部によって形成される画像表示領域における画像表示部の位置が検出される。さらに、位置検出部によって検出された位置に基づいて、全体画像のうち、当該位置に対応する一部の画像が画像表示部に表示される。
【００１０】
このため、ユーザは、マルチモニタの形成に用いられる携帯端末装置の数や嗜好、或いは環境に応じて、所望のサイズ及びレイアウトを有するマルチモニタを容易に形成することができる。
【００１１】
本発明の第２の特徴は、本発明の第１の特徴に係り、前記画像表示部は、略矩形の画像表示面（画像表示面１６１）を形成し、前記近接検出部は、前記画像表示面を形成する辺に対応する位置に配設されることを要旨とする。
【００１２】
本発明の第３の特徴は、本発明の第１または第２の特徴に係り、前記携帯端末装置が提供可能な機能を示す機能情報（例えば、互換性チェックリスト）を格納する電子タグ（例えば、電子タグ１７２Ｔ）をさらに備え、前記電子タグは、前記携帯端末装置が前記他の携帯端末装置と前記所定の形態によって近接または当接した場合、前記他の携帯端末装置に備えられる他装置側近接検出部に近接または当接することを要旨とする。
【００１３】
本発明の第４の特徴は、本発明の第１または第２の特徴に係り、前記近接検出部は、磁気センサ（例えば、磁気センサ１７１Ｔ）によって構成され、前記磁気センサは、前記携帯端末装置が前記他の携帯端末装置と前記所定の形態によって近接または当接した場合、前記他の携帯端末装置に備えられる他装置側電子タグに近接または当接することを要旨とする。
【００１４】
本発明の第５の特徴は、本発明の第４の特徴に係り、前記磁気センサを介して、前記他の携帯端末装置が提供可能な機能を示す機能情報を取得する情報取得部（情報取得部１０１）と、前記情報取得部によって取得された前記機能情報に基づいて、前記他の携帯端末装置とともに前記画像表示領域を形成できるか否かを判定する判定部（表示処理部１１１）とをさらに備えることを要旨とする。
【００１５】
本発明の第６の特徴は、本発明の第１乃至第５の特徴に係り、前記他の携帯端末装置との通信を実行する通信部（通信部１０３）をさらに備え、前記位置検出部は、前記近接検出部によって検出された前記所定の形態、及び前記通信部が受信した前記位置を示す位置情報に基づいて、前記位置を検出することを要旨とする。
【００１６】
本発明の第７の特徴は、本発明の第１乃至第６の特徴に係り、前記近接検出部は、前記携帯端末装置に近接または当接していた前記他の携帯端末装置が前記携帯端末装置から離れたことを検出し、前記表示処理部は、前記近接検出部によって前記他の携帯端末装置が前記携帯端末装置から離れたことが検出された場合、前記データ放送の内容を、前記画像表示部に表示させる処理を終了し、前記画像表示部は、前記処理が終了すると、前記画像データに基づいて画像を表示することを要旨とする。本発明の第８の特徴は、前記表示処理部は、音声通話の発着信、電子メールの送受信、前記画像の受信中止の少なくとも何れかの場合、前記データ放送の内容を、前記画像表示部に表示させる処理を終了することを要旨とする。
【００１７】
本発明の第９の特徴は、画像データを受信する画像データ受信部（ＴＶチューナ部１０９）と、前記画像データに基づいて画像を表示する画像表示部（画像表示部１６０）とを備える携帯端末装置（携帯電話端末１００）であって、１または２以上の他の携帯端末装置（例えば、携帯電話端末１００Ｂ）との通信を実行する通信部（通信部１０３）と、前記画像表示部、及び前記他の携帯端末装置に備えられる他装置側画面表示部（画像表示部１６０）によって形成される画像表示領域（例えば、画像表示領域Ａ１）における前記画像表示部の位置を示す位置情報を、前記通信部を介して前記他の携帯端末装置と交換する位置情報交換部（通信部１０３及び位置検出部１０５）と、前記位置情報交換部によって交換された前記位置情報と、前記画像表示領域のレイアウト情報とに基づいて、前記画像表示部及び前記他装置側画面表示部の一方に前記画像データが表示され、他方にデータ放送の内容が表示されるように、前記画像データ及び前記データ放送の内容の何れかを、前記画像表示部に表示させる表示処理部（表示処理部１１１）とを備えることを要旨とする。
【００１８】
本発明の第１０の特徴は、画像データを受信する画像データ受信部ＴＶチューナ部１０９）と、前記画像データに基づいて画像を表示する画像表示部（画像表示部１６０）とを備える携帯端末装置（携帯電話端末１００）であって、１または２以上の他の携帯端末装置（例えば、携帯電話端末１００Ｂ）との通信を実行する通信部（通信部１０３）と、前記画像表示部、及び前記他の携帯端末装置に備えられる他装置側画面表示部によって形成される画像表示領域を示す画像表示領域情報を、前記通信部を介して前記他の携帯端末装置と交換する画像表示領域情報交換部（通信部１０３及び位置検出部１０５）と、前記画像表示領域情報交換部によって交換された前記画像表示領域情報を表示し、前記画像表示領域における前記画像表示部の位置をユーザに指定させる位置指定部（位置検出部１０５）と、前記位置指定部によって取得された前記位置と、前記画像表示領域のレイアウト情報とに基づいて、前記画像表示部及び前記他装置側画面表示部の一方に前記画像データが表示され、他方にデータ放送の内容が表示されるように、前記画像データ及び前記データ放送の内容の何れかを、前記画像表示部に表示させる表示処理部（表示処理部１１１）とを備えることを要旨とする。
【発明の効果】
【００１９】
本発明の特徴によれば、画像表示部を備える複数の携帯端末装置を組み合わせることによって、所望のサイズ及びレイアウトを有するマルチモニタを容易に実現することができる携帯端末装置を提供することができる。
【発明を実施するための最良の形態】
【００２０】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２１】
したがって、具体的な寸法などは以下の説明を参酌して判断すべきものである。また、図面相互間においても互いの寸法の関係や比率が異なる部分が含まれていることは勿論である。
【００２２】
（携帯端末装置の構成）
まず、本実施形態に係る携帯端末装置の構成について説明する。図１は、本実施形態に係る携帯端末装置を構成する携帯電話端末１００の全体斜視図である。図２は、画像表示部が折り畳まれた状態の携帯電話端末１００の斜視図である。図３は、携帯電話端末１００の機能ブロック構成図である。
【００２３】
（１）携帯端末装置の外観
図１及び図２に示すように、携帯電話端末１００は、操作キー（不図示）などを有する本体部１５０と、画像表示面１６１を有する画像表示部１６０とを備える。携帯電話端末１００は、音声通話や電子メールの送受信を行うことができる。また、携帯電話端末１００は、ディジタルテレビジョン放送（具体的には、地上波ディジタル放送）を受信することができる。
【００２４】
画像表示部１６０には、電子メールの内容や電話帳の内容などが表示される。また、画像表示部１６０には、受信したディジタルテレビジョン放送の内容が表示される。さらに、携帯電話端末１００は、例えば、図７に示すように、他の携帯電話端末と組み合わせることによって、ひとつの大きな画像表示領域（いわゆるマルチモニタ）を形成することができる。
【００２５】
図１に示すように、画像表示部１６０の上部には、磁気センサ１７１Ｔ及び電子タグ１７２Ｔが配設される。さらに、画像表示部１６０の右側方には、磁気センサ１７１Ｒ及び電子タグ１７２Ｒが配設される。また、図２に示すように、本体部１５０の下部には、磁気センサ１７１Ｂ及び電子タグ１７２Ｂが配設される。さらに、画像表示部１６０の左側方には、磁気センサ１７１Ｌ及び電子タグ１７２Ｌが配設される。
【００２６】
磁気センサ１７１Ｔ，Ｂ，Ｌ，Ｒは、他の携帯電話端末に近接または当接したこと（以下、“当接したこと”と適宜省略する）を検出する。なお、本実施形態において“近接したこと”とは、磁気センサ１７１Ｔ，Ｂ，Ｌ，Ｒが、電子タグ１７２Ｔ，Ｂ，Ｌ，Ｒに格納されている情報を読み取れる程度の距離まで携帯電話端末１００と他の携帯電話端末とが近付いたことをいう。
【００２７】
本実施形態では、磁気センサ１７１Ｔ，Ｂ，Ｌ，Ｒは、略矩形の画像表示面１６１を形成するそれぞれの辺に対応する位置に配設される。具体的には、磁気センサ１７１Ｔは画像表示面１６１の上辺と、磁気センサ１７１Ｂは画像表示面１６１の下辺と対応する位置に配設される。また、磁気センサ１７１Ｒは画像表示面１６１の右辺と、磁気センサ１７１Ｌは画像表示面１６１の左辺と対応する位置に配設される。
【００２８】
また、電子タグ１７２Ｔ，Ｂ，Ｌ，Ｒは、携帯電話端末１００が提供可能な機能を示す機能情報（例えば、図５に示す互換性チェックリスト）を格納する。電子タグ１７２Ｔなどに格納されている機能情報は、他の携帯電話端末と当接した場合、当該他の携帯電話端末に備えられている磁気センサによって読み取られる。
【００２９】
（２）機能ブロック構成
図３に示すように、携帯電話端末１００は、情報取得部１０１、通信部１０３、位置検出部１０５、記憶部１０７、ＴＶチューナ部１０９、表示処理部１１１、携帯電話機能部１１３及び画像表示部１６０を備える。また、携帯電話端末１００は、上述したように、磁気センサ１７１Ｔ，Ｂ，Ｌ，Ｒ、及び電子タグ１７２Ｔ，Ｂ，Ｌ，Ｒを備える。
【００３０】
なお、以下、本発明との関連がある部分について主に説明する。したがって、携帯電話端末１００は、携帯電話端末１００の機能を実現する上で必須な、図示しない或いは説明を省略したブロック（例えば、電源部など）を備える場合があることに留意されたい。
【００３１】
磁気センサ１７１Ｔ，Ｂ，Ｌ，Ｒは、画像表示部１６０と、１または２以上の他の携帯電話端末に備えられる画像表示部１６０（他装置側画面表示部）とが並んだ状態となる所定の形態（例えば、図７に示す形態）によって、携帯電話端末１００が少なくも何れかの他の携帯電話端末と当接したことを検出する。本実施形態において、磁気センサ１７１Ｔ，Ｂ，Ｌ，Ｒは、近接検出部を構成する。
【００３２】
磁気センサ１７１Ｔ，Ｂ，Ｌ，Ｒは、携帯電話端末１００が他の携帯電話端末と所定の形態によって当接した場合、当該他の携帯電話端末に備えられる電子タグ（他装置側電子タグ）と当接する。また、磁気センサ１７１Ｔ，Ｂ，Ｌ，Ｒは、携帯電話端末１００に当接していた当該他の携帯電話端末が携帯電話端末１００から離れたことを検出することができる。
【００３３】
電子タグ１７２Ｔ，Ｂ，Ｌ，Ｒは、携帯電話端末１００が提供可能な機能を示す機能情報を格納する。例えば、電子タグ１７２Ｔ，Ｂ，Ｌ，Ｒは、図５（ａ）に示す互換性チェックリストを格納することができる。或いは、電子タグ１７２Ｔ，Ｂ，Ｌ，Ｒは、互換性チェックリストに代えて、携帯電話端末１００の機種ＩＤを格納してもよい。
【００３４】
電子タグ１７２Ｔ，Ｂ，Ｌ，Ｒは、携帯電話端末１００が他の携帯電話端末と所定の形態によって当接した場合、当該他の携帯電話端末に備えられる磁気センサ１７１Ｔ，Ｂ，Ｌ，Ｒ（他装置側近接検出部）と当接する（図７〜図９参照）。
【００３５】
情報取得部１０１は、磁気センサ１７１Ｔ，Ｂ，Ｌ，Ｒと接続される。情報取得部１０１は、他の携帯電話端末と当接したこと、または当接していた他の携帯電話端末が携帯電話端末１００から離れたことを示す、磁気センサ１７１Ｔ，Ｂ，Ｌ，Ｒからの出力信号を取得する。情報取得部１０１は、取得した出力信号に基づいて、他の携帯電話端末と当接したこと、または当接していた他の携帯電話端末が携帯電話端末１００から離れたことを位置検出部１０５に中継する。
【００３６】
また、情報取得部１０１は、磁気センサ１７１Ｔ，Ｂ，Ｌ，Ｒを介して、他の携帯電話端末が提供可能な機能を示す機能情報（例えば、図５（ａ）に示す互換性チェックリスト）を、当該他の携帯電話端末から取得する。具体的には、情報取得部１０１は、磁気センサ１７１Ｔ，Ｂ，Ｌ，Ｒの何れかが読み取った当該他の携帯電話端末に備えられている電子タグに格納されている情報を取得する。
【００３７】
通信部１０３は、他の携帯電話端末との通信を実行する。具体的には、通信部１０３は、無線ＬＡＮ方式や赤外線通信方式（ＩｒＤＡ）による通信を実行する。
【００３８】
特に、本実施形態では、通信部１０３は、他の携帯電話端末の画像表示部１６０とともに形成される画像表示領域（例えば、図７に示す画像表示領域Ａ１）における携帯電話端末１００の画像表示部１６０の位置を示すグループマップ（位置情報、図６（ａ）〜（ｄ）参照）を、他の携帯電話端末から受信する。また、通信部１０３は、記憶部１０７に記憶されているグループマップを他の携帯電話端末に送信する。
【００３９】
位置検出部１０５は、磁気センサ１７１Ｔ，Ｂ，Ｌ，Ｒによって検出された所定の形態（図７参照）に基づいて、画像表示部１６０及び他の携帯電話端末に備えられる画像表示部１６０によって形成される画像表示領域における画像表示部１６０の位置を検出する。
【００４０】
例えば、図７に示すように、携帯電話端末１００Ａの位置検出部１０５は、磁気センサ１７２Ｒが携帯電話端末１００Ｂと当接したことを検出したこと、及び他の磁気センサが他の携帯電話端末と当接していないことに基づいて、画像表示領域Ａ１における画像表示面１６１Ａの位置は、画像表示面１６１Ｂの上側（或いは左側）であることを検出する。なお、携帯電話端末１００Ａ及び１００Ｂは、携帯電話端末１００と同一の外観及び機能を有する（以下同）。
【００４１】
さらに、位置検出部１０５は、磁気センサ１７１Ｔ，Ｂ，Ｌ，Ｒによって検出された所定の形態、及び通信部１０３が受信したグループマップに基づいて、画像表示部１６０及び他の携帯電話端末に備えられる画像表示部１６０によって形成される画像表示領域における画像表示部１６０の位置を検出することもできる。
【００４２】
例えば、図８に示すように、携帯電話端末１００Ａ〜１００Ｄによって画像表示領域Ａ２が形成される場合、携帯電話端末１００Ａは、携帯電話端末１００Ｄと直接当接しない（同様に、携帯電話端末１００Ｂは、携帯電話端末１００Ｃと直接当接しない）。
【００４３】
このような場合、携帯電話端末１００Ａ〜１００Ｄは、グループマップ（図６（ａ）〜（ｄ）参照）を交換することができる。携帯電話端末１００Ａ〜１００Ｄの位置検出部１０５は、磁気センサ１７１Ｔ，Ｂ，Ｌ，Ｒによる検出結果、記憶部１０７に記憶されているグループマップ、及び通信部１０３を介して受信したグループマップに基づいて、画像表示領域Ａ２における画像表示面１６１Ａ〜１６１Ｄの位置を検出する。なお、画像表示領域における画像表示部１６０の位置の検出方法については、さらに後述する。
【００４４】
記憶部１０７は、通信部１０３を介して受信したグループマップや、表示処理部１１１によって生成されるグループマップを記憶する。また、記憶部１０７は、表示処理部１１１において用いられる互換性チェックリスト、マルチモニタレイアウトリスト及び画面レイアウト情報を記憶する。
【００４５】
ＴＶチューナ部１０９は、ディジタルテレビジョン放送を受信するチューナを有する。ＴＶチューナ部１０９は、受信したディジタルテレビジョン放送信号に基づいて、画像データ（具体的には、動画像データ）やオーディオデータを表示処理部１１１に出力する。本実施形態において、ＴＶチューナ部１０９は、画像データ受信部を構成する。
【００４６】
表示処理部１１１は、位置検出部１０５によって検出された画像表示領域における画像表示部１６０の位置に基づいて、当該位置に対応する全体画像の一部を画像表示部１６０に表示させる。
【００４７】
例えば、図７に示すように画像表示領域Ａ１における画像表示面１６１Ａの位置は、画像表示面１６１Ｂの上側（或いは左側）であることが位置検出部１０５によって検出された場合、表示処理部１１１は、以下のように全体画像の一部を画像表示部１６０に表示させる。
【００４８】
すなわち、表示処理部１１１は、携帯電話端末１００Ａが他の携帯電話端末と当接していない状態において画像表示部１６０に表示される全体画像（図１０（ａ）参照）を２分割し、拡大された上側部分を画像表示部１６０に表示させる（図１０（ｂ）参照）。
【００４９】
また、表示処理部１１１は、位置検出部１０５による検出結果に基づいて、画像表示領域に対応するグループマップを生成する。
【００５０】
例えば、表示処理部１１１は、位置検出部１０５による検出結果に基づいて、画像表示領域Ａ１に対応するグループマップ（図６（ｂ）参照）を生成する。なお、表示処理部１１１は、位置検出部１０５による検出結果に基づいて、図６（ａ）〜図６（ｄ）に示すようなグループマップを適宜生成することができる。
【００５１】
さらに、表示処理部１１１は、情報取得部１０１によって取得された機能情報に基づいて、当接した他の携帯電話端末とともに画像表示領域を形成できるか否かを判定することができる。本実施形態において、表示処理部１１１は、判定部を構成する。
【００５２】
具体的には、表示処理部１１１は、図５（ａ）に示す互換性チェックリスト、及び図５（ｂ）に示す状態チェックリストに基づいて、当接した他の携帯電話端末とともに画像表示領域を形成できるか否かを判定する。
【００５３】
なお、互換性チェックリストは、磁気センサ１７１Ｔ，Ｂ，Ｌ，Ｒを介して取得し、状態チェックリストは、通信部１０３を介して他の携帯電話端末から取得される。また、表示処理部１１１は、携帯電話端末１００の状態に応じて状態チェックリストを生成、更新することができる。
【００５４】
表示処理部１１１は、まず互換性チェックリストに基づいて、携帯電話端末１００と、当接している他の携帯電話端末との互換性、つまり、当該他の携帯電話端末と連携して動作できるか否かを判定する。なお、図５（ａ）において、Ａ〜Ｄは、携帯電話端末の機種ＩＤを示す。また、「○」は連携可能であること、「×」は連携不可能であることを示す。
【００５５】
次いで、表示処理部１１１は、状態チェックリストに基づいて、連携可能か否かを判定する。なお、図５（ｂ）において、列は携帯電話端末１００の機能を示し、行は当接している他の携帯電話端末の機能を示す。また、「○」は連携可能であること、「×」は連携不可能であることを示す。例えば、図５（ｂ）に示す状態チェックリストでは、ディジタルテレビジョン放送の視聴（図中の「視聴」）が現在連携可能であること、つまり、画像表示領域（マルチモニタ）を形成が可能なことを示している。
【００５６】
さらに、表示処理部１１１は、マルチモニタレイアウトリストに基づいて、当接した他の携帯電話端末とともに形成される画像表示領域がマルチモニタレイアウトリストに含まれているレイアウトに合致しているか否かを判定する。なお、マルチモニタレイアウトリストには、例えば、以下のようなレイアウトが含まれる。
【００５７】
・  ３２０×４８０（アスペクト比  ２：３、図７参照）
・  ６４０×４８０（アスペクト比  ４：３、図８参照）
・  ９６０×７２０（アスペクト比  ４：３）
・  １２８０×７２０（アスペクト比  １６：９、図９参照）
表示処理部１１１は、このような判定処理によって、当接した他の携帯電話端末とともに画像表示領域を形成できるか否かを判定する。
【００５８】
また、表示処理部１１１は、ユーザによって指定される画像表示領域のレイアウト情報（以下、画面レイアウト情報）にしたがって、画像表示領域に画像を表示させることができる。
【００５９】
例えば、画像表示領域Ａ１の場合、表示処理部１１１は、図１０（ｃ）に示すように、画像表示面１６１Ａには映像を表示させ、画像表示面１６１Ｂには、データ放送の内容を表示させることができる。さらに、表示処理部１１１は、図１０（ｄ）に示すように、画像表示面１６１Ａ及び画像表示面１６１Ｂの長手方向が縦方向になるように、画像表示面１６１Ａ及び画像表示面１６１Ｂに画像を表示させることもできる。
【００６０】
また、表示処理部１１１は、磁気センサ１７１Ｔ，Ｂ，Ｌ，Ｒによって当接していた他の携帯電話端末が携帯電話端末１００から離れたことが検出された場合、全体画像の一部を画像表示部１６０に表示させる処理を終了することができる。この結果、前画像表示部１６０は、当該処理が終了すると、ＴＶチューナ部１０９によって出力された画像データに基づいて通常の画像を表示する。
【００６１】
携帯電話機能部１１３は、音声通話や電子メールの送受信など、携帯電話端末としての機能を提供する。
【００６２】
画像表示部１６０は、画像データに基づいて画像表示面１６１に画像を表示する。具体的には、表示処理部１１１によって出力された画像データ、または携帯電話機能部１１３によって出力された画像データに基づいて、画像を表示する。
【００６３】
（携帯端末装置の動作）
次に、上述した携帯電話端末１００の動作について説明する。具体的には、携帯電話端末１００Ａが、他の携帯電話端末とともに、ひとつの大きな画像表示領域（マルチモニタ）を形成する動作について説明する。
【００６４】
図４は、携帯電話端末１００Ａが、他の携帯電話端末とともに画像表示領域（マルチモニタ）を形成する動作フローを示す。なお、ここでは、当該動作に先立って、図７に示すように、携帯電話端末１００Ａは、携帯電話端末１００Ｂに当接して携帯電話端末１００Ｂとグループ化されているものとする。このような状態において、携帯電話端末１００Ａ（携帯電話端末１００Ｂ）が、携帯電話端末１００Ｃ（携帯電話端末１００Ｄ）とさらに当接し、図４に示す動作フローにしたがって、携帯電話端末１００Ａ〜１００Ｄによる画像表示領域Ａ２（図８参照）が形成される過程について説明する。
【００６５】
図４に示すように、ステップＳ１０において、携帯電話端末１００Ａは、他の携帯電話端末をサーチする。具体的には、携帯電話端末１００Ａは、磁気センサ１７１Ｔ，Ｂ，Ｌ，Ｒによって他の携帯電話端末と当接したか否かを検出する。
【００６６】
ステップＳ２０において、携帯電話端末１００Ａは、現在のグループの解除パターンを検出したか否かを判定する。具体的には、携帯電話端末１００Ａは、携帯電話端末１００Ｂとのグループ（図６（ｂ）に示すグループ３）の解除を検出したか否かを判定する。グループの解除パターンは、音声通話の発着信、電子メールの送受信、ディジタルテレビジョン放送の受信中止などである。また、磁気センサ１７１Ｔ，Ｂ，Ｌ，Ｒによって、携帯電話端末１００Ｂが離れたことが検出された場合もグループの解除パターンに含まれる。
【００６７】
解除パターンを検出した場合（ステップＳ２０のＹＥＳ）、ステップＳ３０において、携帯電話端末１００Ａは、グループマップを削除する。グループマップが削除されると、携帯電話端末１００Ａは、携帯電話端末１００Ｂとのマルチモニタの形成を終了する。
【００６８】
解除パターンを検出しない場合（ステップＳ２０のＮＯ）、ステップＳ４０において、携帯電話端末１００Ａは、他の携帯電話端末とさらに当接したか否かを判定する。
【００６９】
他の携帯電話端末とさらに当接した場合（ステップＳ４０のＹＥＳ）、ステップＳ６０において、携帯電話端末１００Ａは、当該他の携帯電話端末との連携が可能か否かを判定する。ここでは、図８に示すように、携帯電話端末１００Ａは、携帯電話端末１００Ｃとさらに当接したものとする。
【００７０】
携帯電話端末１００Ａは、携帯電話端末１００Ｃの電子タグ１７２Ｔに格納されている機能情報、具体的には、互換性チェックリスト（または携帯電話端末１００Ｃの機種ＩＤ）を、磁気センサ１７１Ｔを介して読み取る。携帯電話端末１００Ａは、携帯電話端末１００Ｃの電子タグ１７２Ｔから読み取った機能情報、及び記憶部１０７に記憶されている互換性チェックリスト（図５（ａ）参照）に基づいて、携帯電話端末１００Ｃとの互換性の有無を判定する。
【００７１】
さらに、携帯電話端末１００Ａは、携帯電話端末１００Ｃとの互換性があると判定した場合、状態チェックリスト（図５（ｂ）参照）に基づいて、携帯電話端末１００Ｃと現在連携可能であるか否かを判定する。
【００７２】
なお、ステップＳ６０の処理は、携帯電話端末１００Ａ〜携帯電話端末１００Ｃとの間だけでなく、携帯電話端末１００Ｂ〜携帯電話端末１００Ｄとの間においても同様に実行してもよい。或いは、携帯電話端末１００Ｂに関する機能情報は、携帯電話端末１００Ａを介して携帯電話端末１００Ｃに提供してもよい。同様に、携帯電話端末１００Ｄに関する機能情報は、携帯電話端末１００Ｃを介して携帯電話端末１００Ａに提供してもよい。
【００７３】
一方、他の携帯電話端末とさらに当接しない場合（ステップＳ４０のＮＯ）、当該他の携帯電話端末との連携が不可能と判定した場合（ステップＳ６０のＮＯ）、携帯電話端末１００Ａは、画像表示領域（マルチモニタ）を形成する動作を終了する。
【００７４】
ステップＳ７０において、携帯電話端末１００Ａは、現在のグループマップを送受信する。具体的には、携帯電話端末１００Ａは、図６（ｂ）に示すグループ３を内容とするグループマップを携帯電話端末１００Ｃに送信する。また、携帯電話端末１００Ａは、図６（ｂ）に示すグループ４を内容とするグループマップを携帯電話端末１００Ｃから受信する。
【００７５】
ステップＳ８０において、携帯電話端末１００Ａは、送受信したグループマップ（グループ３及びグループ４）に基づいて、仮のグループマップを生成する。具体的には、携帯電話端末１００Ａは、図６（ｄ）に示すグループ７を内容とするグループマップを生成する。
【００７６】
ステップＳ９０において、携帯電話端末１００Ａは、生成した仮のグループマップに基づいて、当該仮のグループマップにしたがったグループ化が可能か否かを判定する。具体的には、携帯電話端末１００Ａは、マルチモニタレイアウトリストに基づいて、グループ化が可能か否かを判定する。
【００７７】
図６（ｄ）に示すグループ７を内容とするグループマップは、マルチモニタレイアウトリストに含まれるレイアウト（６４０×４８０）であるため、携帯電話端末１００Ａは、グループ化が可能と判定する。
【００７８】
グループ化が可能な場合（ステップＳ９０のＹＥＳ）、ステップＳ１００において、携帯電話端末１００Ａは、親機の指定があったか否かを判定する。具体的には、携帯電話端末１００Ａ（及び携帯電話端末１００Ｂ〜１００Ｄ）の画像表示部１６０には、「マルチモニタを開始します。親機となる端末のＯＫボタンを押してください」といったメッセージが表示される。
【００７９】
ユーザによって、携帯電話端末１００Ａ〜１００Ｄの何れかの携帯電話端末に対して所定の操作（ＯＫボタンの押下）がなされると、携帯電話端末１００Ａは、親機の指定があったと判定する。なお、携帯電話端末１００Ｂ〜１００Ｄに対して所定の操作がなされた場合、携帯電話端末１００Ａは、通信部１０３を介して当該所定の操作がなされたことを認識する。
【００８０】
グループ化が不可能な場合（ステップＳ９０のＮＯ）、携帯電話端末１００Ａは、マルチモニタを形成する動作を終了する。
【００８１】
親機の指定があった場合（ステップＳ１００のＹＥＳ）、ステップＳ１１０において、携帯電話端末１００Ａは、現在のグループマップ（グループ３）を、仮のグループマップ（グループ７）によって更新する。
【００８２】
親機の指定がなかった場合（ステップＳ１００のＮＯ）、携帯電話端末１００Ａは、マルチモニタを形成する動作を終了する。具体的には、携帯電話端末１００Ａは、ステップＳ１００においてメッセージを表示後、所定の時間内にユーザによって当該所定の操作がなされなかった場合、マルチモニタを形成する動作を終了する。
【００８３】
ステップＳ１２０において、携帯電話端末１００Ａは、画面レイアウト情報を送信または受信する。具体的には、携帯電話端末１００Ａが親機として指定された場合、記憶部１０７に記憶されている画面レイアウト情報を携帯電話端末１００Ｃに送信する。一方、他の携帯電話端末が親機として指定された場合、携帯電話端末１００Ａは、当該他の携帯電話端末から画面レイアウト情報を受信する。
【００８４】
ステップＳ１３０において、携帯電話端末１００Ａは、指定されている画面レイアウト情報に基づいて、画像表示領域Ａ２における画像表示面１６１Ａの位置（左上）に対応する画像を表示する。
【００８５】
（変更例）
上述した動作フローでは、携帯電話端末１００Ａ〜１００Ｄの４台の携帯電話端末を用いてマルチモニタを形成する形態を例として説明したが、マルチモニタを形成に用いられる携帯電話端末の台数は４台に限定されない。例えば、図９に示すように、携帯電話端末１００Ａ〜１００Ｌの１２台の携帯電話端末を用いてマルチモニタを形成することもできる。
【００８６】
（作用・効果）
携帯電話端末１００によれば、磁気センサ１７１Ｔ，Ｂ，Ｌ，Ｒによって検出された所定の形態（例えば、図７や図８に形態）に基づいて、画像表示部１６０、及び他の携帯電話端末の画像表示部１６０によって形成される画像表示領域（例えば、画像表示領域Ａ１）における画像表示部１６０の位置が検出される。さらに、位置検出部１０５によって検出された位置に基づいて、全体画像のうち、当該位置に対応する一部の画像が画像表示部１６０に表示される。
【００８７】
このため、ユーザは、マルチモニタの形成に用いられる携帯電話端末の数や嗜好、或いは環境に応じて、所望のサイズ及びレイアウトを有するマルチモニタを容易に形成することができる。
【００８８】
また、本実施形態では、画像表示面１６１を形成するそれぞれの辺に対応する位置に、磁気センサ１７１Ｔ，Ｂ，Ｌ，Ｒが配設されるため、多様なマルチモニタのレイアウトに対応することができる。さらに、磁気センサ１７１Ｔ，Ｂ，Ｌ，Ｒは、携帯電話端末１００が他の携帯電話端末と当接した場合、当該他の携帯電話端末に備えられる電子タグ１７２Ｔ，Ｂ，Ｌ，Ｒと当接する。このため、磁気センサ１７１Ｔ，Ｂ，Ｌ，Ｒは、当該他の携帯電話端末との当接を検出するとともに、当該他の携帯電話端末に備えられる電子タグ１７２Ｔ，Ｂ，Ｌ，Ｒに格納されている機能情報を読み取ることができる。
【００８９】
また、本実施形態では、通信部１０３を介して、直接当接していない他の携帯電話端末からグループマップ（位置情報）を受信することができるため、図９に示したように多数の携帯電話端末を用いてマルチモニタを形成する場合にも対応することができる。
【００９０】
さらに、本実施形態では、当接していた他の携帯電話端末が携帯電話端末１００から離れたことが検出された場合、マルチモニタが自動で解除される。このため、ユーザは、マルチモニタを解除するに際して、何ら煩わしい操作をする必要がない。
【００９１】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００９２】
例えば、上述した実施形態では、通信部１０３を介してグループマップを送受信する形態としたが、電子タグ１７２Ｔ，Ｂ，Ｌ，Ｒにグループマップを格納し、当該グループマップの内容を、表示処理部１１１が書き換えるようにしてもよい。
【００９３】
上述した実施形態では、画像表示面１６１を形成するそれぞれの辺に対応する位置に磁気センサが配設されていたが、磁気センサは、必ずしもそれぞれの辺に対応する位置に配設されていなくても構わない。例えば、磁気センサ１７１Ｌ及び１７１Ｒのみを配設してもよい。また、上述した実施形態では、磁気センサ及び電子タグを用いる形態としたが、磁気センサに代えて、押圧型のスイッチや導電体を用いて他の携帯電話端末と当接（或いは近接）したことを検出してもよい。
【００９４】
さらに、上述した実施形態では、磁気センサ及び電子タグを用いて他の携帯電話端末に近接または当接したことを検出する形態としたが、必ずしも磁気センサ及び電子タグを用いなくても構わない。
【００９５】
具体的には、位置検出部１０５は、画像表示領域（例えば、画像表示領域Ａ１）における画像表示部１６０の位置を示すグループマップを、通信部１０３を介して他の携帯電話端末と交換することができる。この場合、通信部１０３と位置検出部１０５とによって、位置情報交換部が構成される。
【００９６】
なお、通信部１０３は、例えば、図６（ｂ）に示したようなグループマップの構成のみを他の携帯電話端末と送受信し、携帯電話端末１００のユーザが位置情報、つまり、携帯電話端末１００の位置（例えば、図６（ｂ）のＣまたはＤ）を指定してもよい。この場合、通信部１０３と位置検出部１０５とによって、画像表示領域を示す画像表示領域情報を他の携帯電話端末と交換する画像表示領域情報交換部が構成される。
【００９７】
また、位置検出部１０５は、通信部１０３を介して交換されたグループマップの構成を画像表示部１６０に表示させ、画像表示領域における画像表示部１６０の位置をユーザに指定させることができる。この場合、位置検出部１０５は、位置指定部を構成する。
【００９８】
表示処理部１１１は、取得したグループマップの構成、または位置情報を含むグループマップに基づいて、画像表示領域における画像表示部１６０の位置に対応する画像の一部を画像表示部１６０に表示させることができる。
【００９９】
また、上述した実施形態では、携帯電話端末を例として説明したが、本発明は、画像表示部を備える他の携帯端末装置、例えば、携帯情報端末（ＰＤＡ）などにも適用することができる。
【０１００】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１０１】
【図１】本発明の実施形態に係る携帯端末装置の全体斜視図である。
【図２】画像表示部が折り畳まれた状態の携帯端末装置の斜視図である。
【図３】本発明の実施形態に係る携帯端末装置の機能ブロック構成図である。
【図４】本発明の実施形態に係る携帯端末装置が、他の携帯端末装置とともに画像表示領域（マルチモニタ）を形成する動作フローを示す図である。
【図５】本発明の実施形態に係る互換性チェックリスト及び状態チェックリストの一例を示す図である。
【図６】本発明の実施形態に係るグループマップの一例を示す図である。
【図７】本発明の実施形態に係る画像表示領域（マルチモニタ）の一例を示す図である。
【図８】本発明の実施形態に係る画像表示領域（マルチモニタ）の一例を示す図である。
【図９】本発明の実施形態に係る画像表示領域（マルチモニタ）の一例を示す図である。
【図１０】本発明の実施形態に係る画像表示領域において表示される画像の一例を示す図である。
【符号の説明】
【０１０２】
１００，１００Ａ〜１００Ｌ…携帯電話端末、１０１…情報取得部、１０３…通信部、１０５…位置検出部、１０７…記憶部、１０９…ＴＶチューナ部、１１１…表示処理部、１１３…携帯電話機能部、１５０…本体部、１６０…画像表示部、１６１，１６１Ａ〜１６１Ｄ…画像表示面、１７１Ｔ，Ｂ，Ｌ，Ｒ…磁気センサ、１７２Ｔ，Ｂ，Ｌ，Ｒ…電子タグ、Ａ１，Ａ２…画像表示領域
【図１】
0004778823.tif 000002
【図２】
0004778823.tif 000003
【図３】
0004778823.tif 000004
【図４】
0004778823.tif 000005
【図５】
0004778823.tif 000006
【図６】
0004778823.tif 000007
【図７】
0004778823.tif 000008
【図８】
0004778823.tif 000009
【図９】
0004778823.tif 000010
【図１０】
0004778823.tif 000011